(57)【要約】【課題】屋上の放熱や冷却のための設備やコストを削減でき、同時に緑化面積も増加させることができる屋上緑化構造を提供する。【解決手段】屋上緑化において、従来は緑化施工がされなかった日中に日陰となる時間が長い領域Ｐ１，Ｐ２、あるいはまったく日のささない領域に、耐陰性が強い植物を植生する。それにより、屋上が太陽に露出する面積を少なくすることができ、散水による放熱処理等をなくすことができる。また、その分だけ、緑化面積も増大する。【選択図】図１
2010136677.tif 000002
【特許請求の範囲】
【請求項１】
屋上の一部領域に耐陰性が強い植物が植生されていることを特長とする屋上緑化構造。
【請求項２】
請求項１に記載の屋上緑化構造であって、耐陰性が強い植物が植生されている屋上の一部領域が、日中において日陰となる時間が日中時間の５割を越える領域の全部または一部であることを特長とする屋上緑化構造。
【請求項３】
請求項１に記載の屋上緑化構造であって、耐陰性が強い植物が植生されている屋上の一部領域の全部または一部には、太陽電池パネルが太陽光を遮ることによって形成される日陰部分が含まれることを特長とする屋上緑化構造。
【発明の詳細な説明】
【技術分野】
【０００１】
本発明は屋上緑化構造に関し、特に、屋上における日照時間の短い領域にも配慮した屋上緑化構造に関する。
【背景技術】
【０００２】
都市緑化の一環として、あるいはヒートアイランド対策として、ビルの屋上や工場の屋根の上に植物を栽培する、いわゆる屋上緑化が進められている。また、特許文献１に記載のように、屋上に太陽電池パネルと植物の双方を配置して、自然エネルギーの利用と屋上緑化の双方を同時に満足させることも提案されている。
【０００３】
【特許文献１】特開２００５−２８２２１１号公報
【発明の開示】
【発明が解決しようとする課題】
【０００４】
従来の屋上緑化構造では、屋上に太陽光が充分に照射することを前提としており、緑化に使用する植物も陽光性植物が多く用いられている。そして、屋上における、一日の日照時間がまったくないか、きわめて短時間の領域は、緑化植物を配置しないでそのまま放置するか、あるいは緑化以外の他の目的に使用するようにしているのが普通であり、緑化面積として計算されないことが多い。
【０００５】
しかし、屋上における日射量がまったくない領域、すなわち日陰となる領域でも、加熱された空気からの伝熱等により温度が上昇するのを避けることができず、真夏の暑い日などにおいては、緑化植物を配置されていない領域に対して、散水等による放熱処理を行うことを必要としている。また、緑化面積を大きくする点からも改善が求められている。
【０００６】
本発明は、上記のような観点からなされたものであり、放熱や冷却のための設備やコストを削減することができるとともに、緑化面積も増加させることのできる屋上緑化構造を提供することを課題とする。
【課題を解決するための手段】
【０００７】
本発明による屋上緑化構造は、基本的に、屋上の一部領域に耐陰性が強い植物が植生されていることを特長とする。
本発明において、「耐陰性が強い植物」とは、日陰でも育つことのできる植物、すなわち太陽の光を直接受けなくても育つことのできる植物をいっており、例として、つる系では、ヘデラ・カナリエンシス、ヘデラ・ヘリックス、ビナンカズラ、テイカカズラ、などが挙げられ、また、地被植物では、ケンタッキーブルーグラス、玉龍、などが挙げられる。しかし、これに限らない。
【０００８】
本発明による屋上緑化構造では、例えば一日の大半が日陰であるような屋上領域に、耐陰性が強い植物が植生されているので、その領域での温度上昇を抑制することができる。他の領域、すなわち充分な日照量のある領域には、従来の屋上緑化構造と同様に、陽光性植物が植生されており、そこでの温度上昇も抑制されている。そのために、真夏の暑い日等においても、屋上の全領域において散水等による放熱処理を行うことを要しなくなり、放熱や冷却のための設備やコストを削減することができる。また、耐陰性が強い植物が植生されている領域を緑化面積として算入することが可能となる。
【０００９】
本発明による屋上緑化構造において、耐陰性が強い植物が植生される屋上領域は、当該植物の育成環境が整っていることを条件に、基本的に自由である。しかし、本発明が解決すべき課題に照らした場合、耐陰性が強い植物が植生される屋上の領域は、日中において日陰となる時間が日中時間の５割を越える領域の全部または一部であることが好適であり、他の領域には、従来同様、陽光性植物を植生する。
【００１０】
本発明による屋上緑化構造の他の態様では、耐陰性が強い植物が植生されている屋上の一部領域の全部または一部には、太陽電池パネルが太陽光を遮ることによって形成される日陰部分が含まれることを特長とする。この態様では、太陽電池パネルによる自然エネルギーの利用と、放熱や冷却のための設備やコストを削減することの双方を同時に満足することができる。また、緑化面積も増加させることができる。
【００１１】
なお、本発明の一態様において、耐陰性が強い植物が植生されている屋上の一部領域を「日中において日陰となる時間が日中時間の５割を越える領域の全部または一部」としたのは、通常の場合、日中において日陰となる時間が日中時間の５割以下の領域では、陽光性殖物の正常な生育が悪影響を受けることによる。
【００１２】
また、日中において日陰となる時間が日中時間の５割を越える領域は、同じ屋上であっても季節によって異なり、所期の目的をより完全に達成するには、季節に応じて耐陰性が強い植物を植生する面積や領域を調整することが必要となる。その煩わしさを回避して、なお所期の目的を達成するために、日中において日陰となる時間が日中時間の５割以下の領域を設定する基準日を、夏至の日とするか、秋分の日あるいは春分の日とすることは、有効である。
【発明の効果】
【００１３】
本発明により、屋上の放熱や冷却のための設備やコストを削減することができ、また、緑化面積も増加させることのできる屋上緑化構造が得られる。
【発明を実施するための最良の形態】
【００１４】
以下、図面を参照しながら、本発明を実施の形態に基づき説明する。図１および図２は本発明による屋上緑化構造の２つの例を説明する図である。
図１において、１０は屋上緑化をしようとする建物であり、１１がその屋上である。２０は、建物１０に隣接する別の建物である。太陽Ｓは、位置Ａで日の出となり、位置Ｇで日没となると仮定する。建物１０の屋上１１は、隣接する建物２０の影響で、太陽Ｓが位置Ａから位置Ｂに移動するまでは日陰となっており、その後、日陰の領域が次第に図で左方に向けて小さくなっていき、太陽Ｓが位置Ｃとなってときに、屋上１１は全面が日照を受ける。
【００１５】
太陽Ｓが、位置Ｃから位置Ｄを経て位置Ｅに来るまでは、屋上１１の全面は日照を受けており、位置Ｅから位置Ｆに移動する過程で、建物１０の高い部分１２の影響で、図で右側から左側に向けて次第に日陰となっていき、太陽Ｓが位置Ｆに来た時点で屋上１１は全面が日陰となり、その状態は、日没まで続く。
【００１６】
このように、屋上１１での日照時間は、周囲の建物等の影響を受け変化し、図示の例では、近接して高いものが位置している箇所の近傍領域Ｐ１，Ｐ２では、中央の領域Ｐ３と比較して日照時間が短くなる。図示しないが、太陽Ｓの方向と日光を遮る物の位置関係によっては、日中であってもまったく日がささない領域も生じる。
【００１７】
本発明における屋上緑化構造において、前記した日中において日陰となる時間が長くなる領域に、あるいはまったく日がささない領域に、耐陰性が強い植物が植生される。前記したように、限定されるものではないが、この領域は、屋上緑化を施工しようとする屋上において、日中において日陰となる時間が日中時間の５割を越える領域の全部または一部であることが好適である。近傍領域Ｐ１，Ｐ２と比較して日照時間が長くなる中央の領域Ｐ３には、従来の屋上緑化と同様に、好ましくは陽光性植物を植生する。
【００１８】
日陰となる時間が長い領域、あるいはまったく日がささない領域であっても、そこに植生される植物は耐陰性が強い植物であり、植生が阻害されることはない。そのために、屋上緑化としての本来の機能を果たすことができ、屋上の緑化面積を増大することが可能となる。
【００１９】
図２は、屋上１１の上に、他の物体、この例では太陽電池パネル３０が配置されている場合を示している。太陽の移動により、太陽電池パネル３０の影は図で右側から左の方向に移動していき、図示の例では、影はＱ１の領域で移動する。すなわち、領域Ｑ１では、日照時間が日中において変化する。また、太陽電池３０の大きさや屋上１１からの高さによって異なるが、図示の例では、領域Ｑ２は日光がまったく照射しない領域となる。このような場合に、日光がまったく照射しない領域Ｑ２に耐陰性が強い植物を植生するとともに、日照時間が日中において変化する領域Ｑ１における、前記領域Ｑ２に近接する部分にも、好ましくは耐陰性が強い植物を植生する。
【００２０】
この態様の屋上緑化構造では、前記したように、太陽電池パネルによる自然エネルギーの利用と、屋上の放熱や冷却のための設備やコストの削減の双方を同時に満足することができる。当然に、緑化面積も増加させることができる。
【図面の簡単な説明】
【００２１】
【図１】本発明による屋上緑化構造の１つの態様を説明する図。
【図２】本発明による屋上緑化構造の他の態様を説明する図。
【符号の説明】
【００２２】
１０…屋上緑化をしようとする建物、
１１…屋上、
１２…建物の高い部分、
２０…隣接する建物、
３０…太陽電池パネル、
Ｓ…太陽、
Ａ〜Ｇ…太陽の位置、
Ｐ１，Ｐ２…日陰となる時間の長い領域であり耐陰性が強い植物が植生される領域、
Ｐ３…日照時間の長い領域。
【図１】
2010136677.tif 000003
【図２】
2010136677.tif 000004